(57)【特許請求の範囲】
【請求項１】
一列に従属接続可能なデータ管理装置であって、
情報を記憶する記憶手段と、
一連の識別番号が付与された管理データを取得して前記識別番号の順に前記記憶手段に記憶させるデータ取得手段と、
前記記憶手段に記憶させた前記管理データの前記識別番号の最小値から最大値の範囲を前記記憶手段に記憶させる範囲登録手段と、
前記記憶手段に記憶された前記管理データの数が所定の許容量を超えると、前記データ取得手段により取得された前記所定の許容量を超える管理データを従属接続された下位の他のデータ管理装置に転送する転送手段と、
特定の識別番号が付与された前記管理データの内容の確認が要求されると、前記特定の識別番号が前記記憶手段に記憶された前記範囲に含まれるか否かを照合する照合手段と、
この照合手段により、前記特定の識別番号が前記範囲に含まれると判定された場合、前記記憶手段から前記特定の識別番号が付与された前記管理データを抽出して内容を確認する確認手段と、
前記照合手段により、前記特定の識別番号が前記範囲に含まれないと判定された場合、前記下位の他のデータ管理装置に対して、前記特定の識別番号が付与された前記管理データの内容の確認を要求する要求手段と
を備え、
前記確認手段は、上位の他のデータ管理装置から要求された前記特定の識別番号が付与された前記データの内容を確認すると、この結果を前記上位の他のデータ管理装置の前記確認手段に送出する
ことを特徴とするデータ管理装置。
【請求項２】
一列に従属接続可能なデータ管理装置のデータ管理方法であって、
データ取得手段に、一連の識別番号が付与された管理データを取得させて前記識別番号の順に記憶手段に記憶させるデータ取得ステップと、
範囲登録手段に、前記記憶手段に記憶させた前記管理データの前記識別番号の最小値から最大値の範囲を前記記憶手段に記憶させる範囲登録ステップと、
転送手段に、前記記憶手段に記憶された前記管理データの数が所定の許容量を超えると、前記データ取得手段により取得された前記所定の許容量を超える管理データを従属接続された下位の他のデータ管理装置に転送させる転送ステップと、
照合手段に、特定の識別番号が付与された前記管理データの内容の確認が要求されると、前記特定の識別番号が前記記憶手段に記憶された前記範囲に含まれるか否かを照合させる照合ステップと、
確認手段に、前記照合ステップにより前記特定の識別番号が前記範囲に含まれると判定された場合、前記記憶手段から前記特定の識別番号が付与された前記管理データを抽出して内容を確認させる確認ステップと、
要求手段に、前記照合ステップにより前記特定の識別番号が前記範囲に含まれないと判定された場合、前記下位の他のデータ管理装置に対して、前記特定の識別番号が付与された前記管理データの内容の確認を要求させる要求ステップと
を有し、
前記確認ステップは、上位の他のデータ管理装置から要求された前記特定の識別番号が付与された前記データの内容を確認すると、この結果を前記上位の他のデータ管理装置の前記確認手段に送出する
ことを特徴とするデータ管理方法。
【発明の詳細な説明】
【技術分野】
【０００１】
本発明は、建造物の通用口や部屋に入室するユーザのデータのデータ管理装置およびデータ管理方法に関する。
【背景技術】
【０００２】
従来より、テナントビル、研究施設、生産施設などの各種建造物では、空調、防犯、防災、証明などの設備情報を中央管理装置で収集して管理している（例えば、特許文献１参照。）。なかでもセキュリティに関しては、建造物の出入口、執務スペース、サーバ室などに入室する個人を識別するためのカードリーダを設けることにより管理を行っている。カードリーダは、個人情報が記録されたＩＣカードの情報を読み取るリーダ装置と、入室が許可されているか否かを照合するコントローラとから構成され、ＩＣカードと照合データとを照合して一致した場合に入室を許可するようにしている。
【０００３】
入室が許可されているか否かを判定するための照合データは、中央管理装置が一括して記憶している。このため、各コントローラは、管理する部屋に入室許可された人を示す照合データを中央管理装置からダウンロードし、記憶するようにしている。
【０００４】
【特許文献１】特開２００４−８４２７８号公報
【発明の開示】
【発明が解決しようとする課題】
【０００５】
しかしながら、一般に、出入りする人数は、建造物内の場所や部屋によって異なるため、コントローラも配設される場所や部屋によって記憶する照合データの量が異なってしまう。例えば、通用口などは出入りする人数が膨大であるのに対して、各部屋は比較的少数である。このため、出入りする人数が膨大な箇所には記憶容量の大きなコントローラ、人数が少数の箇所には記憶容量の小さなコントローラという具合に、必要に応じて記憶容量が異なるコントローラを用意したり、出入りする人数が膨大な箇所の記憶容量の大きなコントローラを人数が少数の箇所にも適用したりしなければならず、結果として、管理の煩雑さや高コスト化を招いていた。
【０００６】
そこで、本発明は、手間およびコストを低減させることができるデータ管理装置およびデータ管理方法を提供することを目的とする。
【課題を解決するための手段】
【０００７】
上述したような課題を解決するために、本発明に係るデータ管理装置は、一列に従属接続可能なデータ管理装置であって、情報を記憶する記憶手段と、一連の識別番号が付与された管理データを取得して識別番号の順に記憶手段に記憶させるデータ取得手段と、記憶手段に記憶させた管理データの識別番号の範囲を記憶手段に記憶させる範囲登録手段と、記憶手段に記憶された管理データが所定の容量を超えると、データ取得手段により取得された管理データを従属接続された下位の他のデータ管理装置に転送する転送手段と、特定の識別番号が付与された管理データの内容の確認が要求されると、特定の識別番号が記憶手段に記憶された範囲に含まれるか否かを照合する照合手段と、この照合手段により、特定の識別番号が範囲に含まれると判定された場合、記憶手段から特定の識別番号が付与された管理データを抽出して内容を確認する確認手段と、照合手段により、特定の識別番号が範囲に含まれないと判定された場合、下位の他のデータ管理装置に対して、特定の識別番号が付与された管理データの内容の確認を要求する要求手段とを備え、確認手段は、上位の他のデータ管理装置から要求された特定の識別番号が付与されたデータの内容を確認すると、この結果を上位の他のデータ管理装置の確認手段に送出することを特徴とする。
【０００９】
また、本発明に係るデータ管理方法は、一列に従属接続可能なデータ管理装置のデータ管理方法であって、データ取得手段に、一連の識別番号が付与された管理データを取得させて識別番号の順に記憶手段に記憶させるデータ取得ステップと、範囲登録手段に、記憶手段に記憶させた管理データの識別番号の範囲を記憶手段に記憶させる範囲登録ステップと、転送手段に、記憶手段に記憶された管理データが所定の容量を超えると、データ取得手段により取得された管理データを従属接続された下位の他のデータ管理装置に転送させる転送ステップと、照合手段に、特定の識別番号が付与された管理データの内容の確認が要求されると、特定の識別番号が記憶手段に記憶された範囲に含まれるか否かを照合させる照合ステップと、確認手段に、照合ステップにより特定の識別番号が範囲に含まれると判定された場合、記憶手段から特定の識別番号が付与された管理データを抽出して内容を確認させる確認ステップと、要求手段に、照合ステップにより特定の識別番号が範囲に含まれないと判定された場合、下位の他のデータ管理装置に対して、特定の識別番号が付与された管理データの内容の確認を要求させる要求ステップとを有し、確認ステップは、上位の他のデータ管理装置から要求された特定の識別番号が付与されたデータの内容を確認すると、この結果を上位の他のデータ管理装置の確認手段に送出することを特徴とする。
【発明の効果】
【００１０】
本発明によれば、記憶手段に記憶された管理データが所定の容量を超えると、取得した管理データを下位の他のデータ管理装置に転送し、特定の識別番号が付与されたデータの内容の確認が要求されると、特定の識別番号が記憶手段に記憶された範囲に含まれるか否かを照合し、特定の識別番号が範囲データに含まれると判定された場合には記憶手段から特定の識別番号が付与されたデータを抽出して内容を確認し、特定の識別番号が範囲データに含まれないと判定された場合には下位他のデータ管理装置に対して特定の識別番号が付与されたデータの内容の確認を要求することにより、データ量が膨大であっても、各データ管理装置の記憶容量を増やすことなくデータ管理装置を追加接続するだけで対応することができるので、結果として、手間およびコストを低減することができる。
【発明を実施するための最良の形態】
【００１１】
以下、図面を参照して、本発明の実施の形態について詳細に説明する。
【００１２】
［施設管理システムの構成］
図１に示すように、本実施の形態に係る施設管理システムは、管理を行う建造物に関する各種データを収集して管理する中央管理装置１と、その建造物の通用口や各部屋の入口などに設置されるコントローラ２ａ〜２ｎとを備え、これらがインターネット、ＬＡＮ（Local Area Network）、ＷＡＮ（Wide Area Network）、電話回線、無線通信回線等の公知のネットワークからなるネットワーク３により接続されている。
【００１３】
本実施の形態において、コントローラ２ａには、下位にコントローラ２ａ−１が従属して接続されている。また、このコントローラ２ａ−１には、下位にコントローラ２ａ−２が従属して接続されている。このように、コントローラ２ａ，２ａ−１および２ａ−２は、チェーン状に一列に従属接続されている。
【００１４】
＜中央管理装置の構成＞
中央管理装置１は、図２に示すように、送受信部１１と、データ管理部１２と、記憶部１３とを備えている。
【００１５】
送受信部１１は、ネットワーク３を介してコントローラ２ａ〜２ｎとの間で各種データの送受信を行う機能部である。
【００１６】
データ管理部１２は、コントローラ２ａ〜２ｎからの要求に応じて、記憶部１３に格納されたデータを送受信部１１により送信させる機能部である。
【００１７】
記憶部１３は、中央管理装置１の動作に必要な各種データを記憶する機能部である。このような記憶部１３には、通用口や各部屋など建造物の各領域に入室が許可されているか否かを示す照合データを格納した照合データ格納部１３ａを少なくとも備えている。この照合データは、管理データに対応し、コントローラ２ａ〜２ｎにより読み込まれるＩＣカードが発行された個人や団体毎に作成され、入室が許可されているか否かを領域ごとに示す情報である。このような照合データには、一連の識別番号が付与されている。この識別番号は、ＩＣカードの識別番号に対応する。通常、中央管理装置１の記憶容量は、コントローラ２よりも大きく設定されている。本実施の形態では、中央管理装置１の記憶部１３の照合データ格納部１３ａは数十万人の照合データが記憶でき、各コントローラ２は数万人（以下においては３万人）の照合データを記憶できる場合を例に説明する。
【００１８】
このような中央管理装置１は、ＣＰＵ等の演算装置と、メモリ、ＨＤＤ等の記憶装置と、キーボード、マウス、ポインティングデバイス、ボタン、タッチパネル等の外部から情報の入力を検出する入力装置と、インターネット、ＬＡＮ、ＷＡＮ等の通信回線を介して各種情報の送受信を行うＩ/Ｆ装置と、ＣＲＴ、ＬＣＤまたはＦＥＤ等の表示装置を備えたコンピュータと、このコンピュータにインストールされたプログラムとから構成される。すなわちハードウェア装置とソフトウェアとが協働することによって、上記のハードウェア資源がプログラムによって制御され、上述した送受信部１１、データ管理部１２および記憶部１３が実現される。なお、上記プログラムは、フレキシブルディスク、ＣＤ−ＲＯＭ、ＤＶＤ−ＲＯＭ、メモリカードなどの記録媒体に記録された状態で提供されるようにしてもよい。
【００１９】
＜コントローラの構成＞
コントローラ２ａ〜２ｎは、データ管理装置として機能するものであり、図３に示すように、送受信部２１と、照合部２３と、転送部２４と、照合依頼部２５と、記憶部２６とを備えている。このようなコントローラ２ａ〜２ｎには、それぞれが管理する部屋や通用口の扉近傍に設けられたカードリーダ４と、その扉の解錠および施錠を行う電気錠５が接続されている。なお、コントローラ２ａ〜２ｎはそれぞれ同等の構成を有する。便宜上、コントローラ２ａ〜２ｎを、コントローラ２と適宜呼ぶこととする。
【００２０】
送受信部２１は、ネットワーク３を介して中央管理装置１や他のコントローラ２と各種情報の送受信を行う機能部である。
【００２１】
ダウンロード部２２は、データ取得手段および範囲登録手段として機能し、送受信部２１により中央管理装置１から照合データをダウンロードし、記憶部２６に格納する機能部である。
【００２２】
照合部２３は、照合手段および確認手段として機能し、カードリーダ４により読み取られたＩＣカードに記憶された個人情報と、記憶部２６に記憶された後述する照合データ２５ａとを照合し、その個人情報に対応づけられた個人または団体が、そのカードリーダ４が設置された領域への入室が許可されているか否かを判定する機能部である。入室が許可されている場合、照合部２３は、そのカードリーダ４が設置されている領域の扉の施錠および解錠を行う電気錠５を解錠する。一方、入室が許可されていない場合、照合部２３は、その扉の電気錠５の解錠を行わない。なお、コントローラ２ａの下位に接続されているコントローラ２ａ−１，２ａ−２については、カードリーダ４および電気錠５が接続されていないようにしてもよい。
【００２３】
転送部２４は、中央管理装置１または他のコントローラ２から受信した照合データを、受信先とは異なる他のコントローラ２に転送させる機能部である。
【００２４】
照合依頼部２５は、要求手段として機能し、自身に接続されているカードリーダ４により読み出された個人情報に対応する照合データが自身の記憶部２６の照合データ２５ａに格納されていない場合、その個人情報と照合データとの照合を、他のコントローラ２に依頼する機能部である。
【００２５】
記憶部２６は、コントローラ２の各種動作を実現するために必要な各種情報を記憶する機能部である。このような記憶部２６は、照合データ格納部２６ａと、自装置データ２６ｂと、他のコントローラ２のアドレスを示すアドレスデータ２６ｃと、最大最小値データ２６ｄとを少なくとも記憶している。
【００２６】
照合データ格納部２６ａは、中央管理装置１または他のコントローラ２から受信した照合データを格納する。この照合データ格納部２６ａには、付与された識別番号の順番で所定の数量の照合データが格納されている。
【００２７】
自装置データ２６ｂは、自装置のＩＰアドレスや照合データ格納部２６ｃに格納可能な照合データの数量を示す情報である。例えば、図４（ａ）〜図４（ｃ）に示すように、コントローラ２ａ，２ａ−１，２ａ−２のＩＰアドレスは、順に「１９２．１６８．１．１０１」，「１９２．１６８．１．１０２」，「１９２．１６８．１．１０３」であり、照合データの格納可能件数は、それぞれ３００００件である。
【００２８】
アドレスデータ２６ｃは、下位および上位に接続されたコントローラ２のＩＰアドレスを示す情報である。例えば、図４（ａ）に示すようにコントローラ２ａの場合、下位に接続された装置のＩＰアドレスは「０．０．０．０」、下位に接続された装置のＩＰアドレスは「１９２．１６８．１．１０２」である。これは、コントローラ２ａは、上位に中央管理装置１、下位にコントローラ２ａ−１がそれぞれ接続されていることを表している。また、図４（ｂ）に示すようにコントローラ２ａ−１の場合、上位に接続された装置のＩＰアドレスは「１９２．１６８．１．１０１」、下位に接続された装置のＩＰアドレスは「１９２．１６８．１．１０３」である。これは、コントローラ２ａは、上位にコントローラ２ａ、下位にコントローラ２ａ−２がそれぞれ接続されていることを表している。また、図４（ｃ）に示すようにコントローラ２ａ−２の場合、上位に接続された装置のＩＰアドレスは「１９２．１６８．１．１０２」、下位に接続された装置のＩＰアドレスは「０．０．０．０」である。これは、コントローラ２ａ−２は、上位にコントローラ２ａ−１が接続され、下位に何も接続されていないことを表している。
【００２９】
最大最小値データ２６ｄは、自身の記憶部２６の照合データ格納部２６ａに格納された照合データにおいて、識別番号の最小値と最大値とを示す情報、すなわち照合データ格納部２６ａに格納された照合データの範囲を示す情報である。例えば、図４（ａ）に示すようにコントローラ２ａの場合、識別番号の最小値を示す「最小ＮＯ．」のレコードの値は「１」、識別番号の最大値を示す「最大ＮＯ．」のレコードの値は「３００００」である。これは、コントローラ２ａの照合データ格納部２６ａに格納された照合データにおいて、照合データにおける識別番号の最小値が「１」、最大値が「３００００」であり、識別番号が「１」〜「３００００」の範囲の照合データが照合データ格納部２６ａに格納されていることを表している。同様に、図４（ｂ）に示すコントローラ２ａ−１の場合は、照合データにおける識別番号の最小値が「３０００１」、最大値が「６００００」であり、識別番号が「３０００１」〜「６００００」の範囲の照合データが照合データ格納部２６ａに格納されていることを表している。また、図４（ｃ）に示すコントローラ２ａ−２の場合は、照合データにおける識別番号の最小値が「６０００１」、最大値が「７５１００」であり、識別番号が「６０００１」〜「７５０００」の範囲の照合データが照合データ格納部２６ａに格納されていることを表している。
【００３０】
このようなコントローラ２は、ＣＰＵ等の演算装置と、メモリ、ＨＤＤ等の記憶装置と、キーボード、マウス、ポインティングデバイス、ボタン、タッチパネル等の外部から情報の入力を検出する入力装置と、インターネット、ＬＡＮ、ＷＡＮ等の通信回線を介して各種情報の送受信を行うＩ/Ｆ装置と、ＣＲＴ、ＬＣＤまたはＦＥＤ等の表示装置を備えたコンピュータと、このコンピュータにインストールされたプログラムとから構成される。すなわちハードウェア装置とソフトウェアとが協働することによって、上記のハードウェア資源がプログラムによって制御され、上述した送受信部２１、照合部２３、転送部２４、照合依頼部２５および記憶部２６が実現される。なお、上記プログラムは、フレキシブルディスク、ＣＤ−ＲＯＭ、ＤＶＤ−ＲＯＭ、メモリカードなどの記録媒体に記録された状態で提供されるようにしてもよい。
【００３１】
［施設管理システムの動作］
次に、本実施の形態に係る施設管理システムの動作について説明する。本実施の形態に係る施設管理システムにおいて、コントローラ２は、中央管理装置１から照合データをダウンロードし、このダウンロードした照合データに基づいて、入室を許可するか否かを判定するものである。このような照合データのダウンロード動作および照合動作について、以下にそれぞれ説明する。
【００３２】
＜照合データのダウンロード動作＞
まず、図５を参照して、コントローラ２ａによる照合データのダウンロード動作について、説明する。
【００３３】
コントローラ２ａに対応づけられた領域への入室の管理を開始したり、コントローラ２ａに記憶された照合データの更新を行ったりする場合、コントローラ２ａは、ダウンロード部２２により、中央管理装置１から照合データをダウンロードする（ステップＳ１）。中央管理装置１は、コントローラ２ａから照合データのダウンロードが要求されると、データ管理部１２により記憶部１３の照合データ格納部１３ａに格納された照合データを抽出し、これを送受信部１１によりネットワーク３を介してコントローラ２ａに送信する。照合データを受信すると、コントローラ２ａは、ダウンロード部２２により、記憶部２６の照合データ格納部２６ａにその照合データを格納する。このとき、照合データは、識別番号の順に照合データ格納部２６ａに格納される。
【００３４】
また、ダウンロード部２２は、最初に格納した照合データの識別番号を、記憶部２６の最大最小値データ２６ｄに記録する。例えば、コントローラ２ａの場合、図４（ａ）の最大最小値データ２６ｃに示すように、最初に格納した照合データの識別番号は、「最小ＮＯ．」のレコードに記録された「１」である。
【００３５】
必要件数ダウンロードを完了した場合（ステップＳ２：ＹＥＳ）、ダウンロード部２２は、中央管理装置１から照合データのダウンロードを終了する。
【００３６】
一方、必要件数のダウンロードが終了しない場合（ステップＳ２：ＮＯ）、転送部２４は、ダウンロード部２２にダウンロードした照合データが照合データ格納部２６ａの許容量を超えたか否か確認する（ステップＳ３）。
【００３７】
許容量を超えない場合（ステップＳ３：ＮＯ）、転送部２４は、ステップＳ１の処理に戻り、ダウンロード部２２によるダウロードした照合データの照合データ格納部２６ａへの格納動作を続行させる。
【００３８】
許容量を超えた場合（ステップＳ３：ＹＥＳ）、転送部２４は、ダウンロードした照合データを、コントローラ２ａの下位に接続されたコントローラ２ａ−１に転送させる（ステップＳ４）。図４（ａ）に示す自装置データ２６ｂからも分かるように、コントローラ２ａに格納することができる照合データには限界があり、本実施の形態では、格納できるのは３００００件である。このため、ダウンロードした照合データが３００００件を超えると、転送部２４は、その照合データを下位のコントローラに転送する。図４（ａ）に示すアドレスデータ２６ｃおよび図４（ｂ）に示す自装置データ２６ｂから分かるように、コントローラ２ａの下位に接続されたコントローラは、ＩＰアドレスが「１９２．１６８．１．１０２」であるコントローラ２ａ−１である。したがって、転送部２４は、送受信部２１により、ダウンロードした照合データをコントローラ２ａ−１に転送させる。
【００３９】
また、許容量を超えると、ダウンロード部２２は、記憶部２６の最大最小値データ２６ｃに最後に格納した照合データの識別番号を記録する。例えば、コントローラ２ａの場合、図４（ａ）の最大最小値データ２６ｃに示すように、最後に格納した照合データの識別番号は、「最大ＮＯ．」のレコードに記録された「３００００」である。
【００４０】
コントローラ２ａ−１では、転送された照合データを、照合データ格納部２６ａに格納する。このとき、コントローラ２ａの場合と同等、コントローラ２ａ−１は、最初に格納した照合データの識別番号を、最大最小値データ２６ｃに記録する。本実施の形態では、図４（ａ），図４（ｂ）に示すように、コントローラ２ａに最後に格納された照合データの識別番号が「３００００」であるので、コントローラ２ａ−１に最初に格納した照合データの識別番号は「３０００１」である。
【００４１】
このように、本実施の形態によれば、中央管理装置１からダウンロードした照合データのデータ量が、コントローラ２ａの照合データ格納部２６ａの許容量を超えると、コントローラ２ａの下位に接続されたコントローラ２ａ−１に転送され、このコントローラ２ａ−１の照合データ格納部２６ａに格納される。したがって、照合データのデータ量がコントローラ２の容量を超える場合であっても、コントローラ２を追加してこのコントローラ２に照合データを格納することにより、コントローラ２の記憶容量を増やさなくても対応することができる。
【００４２】
なお、上述した照合データの転送動作は、中央管理装置１から必要件数の照合データをダウンロードするまで行われる。このとき、コントローラ２ａの下位に接続されたコントローラ２ａ−１においても照合データ格納部２６ａの許容量を超えると、コントローラ２ａ−１は、下位に接続されたコントローラ２ａ−２にコントローラ２ａから転送されてきた照合データを転送する。
【００４３】
＜照合動作＞
次に、図６を参照して、コントローラ２ａによる照合動作について、説明する。
【００４４】
コントローラ２ａに接続されているカードリーダ４によりＩＣカードを読み取られ、このＩＣカードの識別番号を受信すると（ステップＳ１１）、照合部２３は、そのＩＣカードの識別番号が、記憶部２６の最大最小値データ２６ｃに格納された最小値と最大値の間にあるか否か判定する（ステップＳ１２）。図４（ａ）に示すように、コントローラ２ａの最大最小値データ２６ｃは、最小値が「１」、最大値が「３００００」である。したがって、ＩＣカードの識別番号の値が１〜３００００の範囲に含まれるか否かを、照合部２３は判定する。
【００４５】
ＩＣカードの識別番号が最大最小値データ２６ｃの範囲内の場合（ステップＳ１２：ＹＥＳ）、照合部２３は、照合部データ格納部２６ａからそのＩＣカードの識別番号に対応する照合データを抽出し、この照合データを確認することにより、入出が許可されているか否かを確認する（ステップＳ１３）。
【００４６】
一方、ＩＣカードの識別番号が最大最小値データ２６ｃの範囲に含まれていない場合（ステップＳ１２：ＮＯ）、照合部２３は、照合依頼部２５により、下位に接続されたコントローラ２ａ−１に、そのＩＣカードの照合動作を依頼する（ステップＳ１６）。この依頼は、ＩＣカードの識別番号をコントローラ２ａ−１に送信することにより行われる。コントローラ２ａ−１は、上述したコントローラ２ａの場合と同様、照合部２３により、その識別番号が最大最小値データ２６ｃの範囲内に含まれているか否かを判定し、含まれている場合には照合部データ格納部２６ａからそのＩＣカードの識別番号に対応する照合データを抽出し、入室が許可されているか否かを確認する。コントローラ２ａ−１においても、ＩＣカードの識別番号が最大最小値データ２６ｃの範囲内に含まれていない場合、コントローラ２ａ−１は、照合依頼部２５により、下位に接続されたコントローラ２ａ−２に、そのＩＣカードの識別番号とこの識別番号に対応する照合データとの照合を依頼する。
【００４７】
このように、本実施の形態によれば、自装置にＩＣカードの識別番号に対応する照合データを格納していない場合、下位のコントローラに照合動作を依頼することにより、照合データのデータ量が膨大な場合、各コントローラの記憶容量を増やすことなくコントローラを追加接続するだけで対応することができる。
【００４８】
自装置または下位のコントローラの照合部２３により、ＩＣカードの識別番号とこの識別番号に対応する照合データとを照合した結果、そのＩＣカードを所持しているユーザの入室が許可されている場合（ステップＳ１４：ＹＥＳ）、コントローラ２ａは、照合部２３より接続された電気錠５を解錠する（ステップＳ１５）。このとき、コントローラ２ａが配置された領域に対して、侵入の有無を検出するセンサや撮像を行うカメラ等を駆動させたることにより警備が行われている状態の場合、この警備状態を解除するようにしてもよい。
【００４９】
一方、ＩＣカードを所持しているユーザの入室が許可されていない場合（ステップＳ１４：ＮＯ）、コントローラ２ａは、照合部２３より接続された電気錠５を解錠しない（ステップＳ１７）。このとき、コントローラ２ａが配置された領域が上述した警備状態にある場合、この警備状態を解除せずに維持し続けるようにしてもよい。
【００５０】
電気錠５の解錠または施錠の維持が行われると、コントローラ２ａは、ステップＳ１１の処理に戻り、カードリーダ４によるＩＣカードの読み込みを待機する状態に移行する。
【００５１】
以上説明したように、本実施の形態によれば、照合データ格納部２６ａに記憶された照合データが所定の容量を超えると、ダウンロードした照合データを下位に接続されたコントローラ２ａ−１に転送し、特定の識別番号が付与された照合データの内容の確認が要求されると、特定の識別番号が記憶部２６に記憶された最大最小値データ２６ｄに含まれるか否かを照合し、特定の識別番号が最大最小値データ２６ｄに含まれると判定された場合には照合データ格納部２６ａから特定の識別番号が付与された照合データを抽出して内容を確認し、特定の識別番号が最大最小値データ２６ｄに含まれないと判定された場合には下位に接続されたコントローラ２ａ−１に対して特定の識別番号が付与された照合データの内容の確認を要求することにより、データ量が膨大であっても、各コントローラ２の記憶容量を増やすことなくコントローラ２を追加接続するだけで対応することができるので、結果として、手間およびコストを低減することができる。
【産業上の利用可能性】
【００５２】
本発明は、多数の情報を記憶する各種システムに適用することができる。
【図面の簡単な説明】
【００５３】
【図１】本発明の施設管理システムの構成を模式的に示す図である。
【図２】中央管理装置の構成を模式的に示す図である。
【図３】コントローラの構成を模式的に示す図である。
【図４】（ａ）はコントローラ２ａ、（ｂ）はコントローラ２ａ−１、（ｃ）は２ａ−２における記憶部２６に格納された自装置データ、アドレスデータ、最大最小値データのデータ構成を模式的に示す図である。
【図５】照合データのダウンロード動作を示すフローチャートである。
【図６】照合動作を示すフローチャートである。
【符号の説明】
【００５４】
１…中央管理装置、２，２ａ，２ａ−１，２ａ−２，２ｂ，２ｎ…コントローラ、３点ネットワーク、４…カードリーダ、５…電気錠、１１…送受信部、１２…データ管理部、１３…記憶部、１３ａ…照合データ格納部、２１…送受信部、２２…ダウンロード部、２３…照合部、２４…転送部、２５…照合依頼部、２６…記憶部、２６ａ…照合データ格納部、２６ｂ…自装置データ、２６ｃ…アドレスデータ、２６ｄ…最大最小値データ。
【図１】
0005547378.tif 000002
【図２】
0005547378.tif 000003
【図３】
0005547378.tif 000004
【図４】
0005547378.tif 000005
【図５】
0005547378.tif 000006
【図６】
0005547378.tif 000007